(57)【要約】【課題】構造をシンプルにしてイニシャルコストを低く抑えるとともに、電動機などの動力を不要にしてランニングコストを削減することができるフロート式スクリーンを提供する。【解決手段】フロート式スクリーンは、本流（一方の水路）２０と、放流水路（他方の水路）２１および遮集水路２２の境界部に設けた越流堰（越流部）２３に設置され、本流２０の下水中の夾雑物が越流堰２３を越流して放流水路２１から放流先の公共用水域へ流下するのを防止する。フロート式スクリーンは、夾雑物補足用のスクリーン本体２４と、このスクリーン本体２４の自由端部に取付けたフロート２５とを有し、基端部には筒体２６を取付け、この筒体２６に越流堰２３側の支軸２７を回転自在に挿通することで、越流堰２３の上端部にスクリーン本体２４を回動自在に取付けてある。【選択図】        図４
2004218211.tif 000002
【特許請求の範囲】
【請求項１】
夾雑物補足用のスクリーン本体の基端部が一方の水路から他方の水路への越流部に回動自在に取付けられているとともに、前記一方の水路側に延在するスクリーン本体の自由端部側にフロートが取付けられていることを特徴とするフロート式スクリーン。
【発明の詳細な説明】
【０００１】
【発明の属する技術分野】
本発明は、フロート式スクリーンに係り、たとえば合流式下水道の雨水吐き室や雨水貯留池の越流堰や吐き口部などに設置して、下水中の夾雑物を補足するのに好適なフロート式スクリーンに関する。
【０００２】
【従来の技術】
従来より、図５および図６に示すように、流入管１から流入してきた下水中の夾雑物が越流堰２を越流して放流管３から放流先の公共用水域へ流下するのを防止し、公共用水域の汚濁を軽減するために、合流式下水道の雨水吐き室４にろ過スクリーン５を設置し、このろ過スクリーン５で補足した下水中の夾雑物を、かき取り刃（図示省略）で遮集管６方向に掻き取るように構成した油圧駆動式スクリーンが知られている（たとえば、非特許文献１参照。）。
【０００３】
一方、図７に示すように、雨水貯留池や雨水吐き室４の越流堰２上にポリプロピレン製の円筒ブラシ７を回転自在に設置し、この円筒ブラシ７は越流水Ｗを利用した水車８の矢印Ｒ１方向の回転力により矢印Ｒ２方向に回転させて下水中の夾雑物を補足するように構成し、補足された夾雑物は円筒ブラシ７の前面に設置した櫛９で掻き落とし、掻き落とされた夾雑物は水位低下後に遮集管６に落とされるように構成した無動力式ブラシスクリーンが知られている（たとえば、非特許文献２参照。）。なお、１０はフロート式バッフル板を示す。
【０００４】
【非特許文献１】
（財）下水道新技術推進機構発行、合流式下水道越流水（ＣＯＳ）対策ろ過スクリーン施設設計資料  （３１Ｐ図−１、３２Ｐ図−３）１９９８年７月
【非特許文献２】
株式会社クボタ発行、雨水吐放流水夾雑物除去技術［５Ｐ（無動力スクリーン設置概略図）］平成１４年８月
【０００５】
【発明が解決しようとする課題】
ところが、図５および図６に示すスクリーン施設は、装置が大掛かりで構造が複雑であるため、イニシャルコストが高くなる。しかも、油圧ユニット駆動のための電動機などの動力が必要になるのでランニングコストも高くなるなどの難点を有している。また、図７に示す無動力式ブラシスクリーンは、電力に頼ることなく越流水Ｗを利用した水車８の回転により円筒ブラシ７を回転駆動させていることにより、円筒ブラシ７を回転駆動する電動機などの動力が不要になるのでランニングコストを削減することができるものの、構造が複雑であるためイニシャルコストが相当に高くなる欠点を有している。
【０００６】
本発明は、このような事情を考慮してなされたもので、構造をシンプルにしてイニシャルコストを低く抑えるとともに、電動機などの動力を不要にしてランニングコストを削減することができるフロート式スクリーンを提供することを目的としている。
【０００７】
【課題を解決するための手段】
前記目的を達成するために、本発明に係るフロート式スクリーンは、夾雑物補足用のスクリーン本体の基端部が一方の水路から他方の水路への越流部に回動自在に取付けられているとともに、前記一方の水路側に延在するスクリーン本体の自由端部側にフロートが取付けられていることを特徴としている。
【０００８】
本発明によれば、一方の水路の水位変動に追従するフロートの昇降によりスクリーン本体の自由端部が上下動するので、一方の水路から他方の水路への越流水中の夾雑物をスクリーン本体で補足して、夾雑物が他方の水路へ越流するのを遮断できる。
【０００９】
【発明の実施の形態】
以下、本発明の一実施の形態を図面に基づいて説明する。図１は本発明の一実施の形態を示す平面図、図２は図１のＡ−Ａ線に沿う通常の低水位状態を示す拡大断面図、図３は図２のＢ−Ｂ矢視図である。
【００１０】
図１〜図３において、フロート式スクリーンは、本流（一方の水路）２０と、放流水路（他方の水路）２１および遮集水路２２の境界部に設けた越流堰（越流部）２３に設置され、本流２０の下水中の夾雑物が越流堰２３を越流して放流水路２１から放流先の公共用水域へ流下するのを防止し、公共用水域の汚濁を軽減する。
【００１１】
フロート式スクリーンは、夾雑物補足用のスクリーン本体２４と、このスクリーン本体２４の自由端部に取付けたフロート２５とを有し、スクリーン本体２４は、所定の目幅ｗ（たとえばｗ＝４ｍｍ程度）で等間隔に配列された多数のスクリーンバー２４ａ，２４ａ…によって格子状に構成されており、その基端部には幅方向にのびる筒体２６を取付けてある。そして、筒体２６に越流堰２３側の支軸２７を回転自在に挿通することで、越流堰２３の上端部に回動自在に取付けられている。
【００１２】
前記構成において、図２に示すように、本流２０の水位ＷＬが越流堰２３よりも低い通常水位（低水位）であれば、本流２０の下水および下水中の夾雑物は越流堰２３にせき止められ図１の遮集水路２２から処理場へ流下する。一方、降雨時などにおいて、図４に示すように、本流２０の水位ＷＬが越流堰２３よりも高くなって放流水路２１へ越流Ｆすると、本流２０の水位ＷＬの上昇に追従してフロート２５が上昇し、基端部側から自由端部側へ上向きに傾斜した姿勢のスクリーン本体２４によって本流２０から放流水路２１への越流水中の夾雑物を補足し、夾雑物が放流水路２１へ越流するのを遮断して、放流先の公共用水域へ流下するのを防止し、公共用水域の汚濁を軽減することができる。なお、スクリーン本体２４の前記上向きへの傾斜度はストッパー２８によって規制できるようになっている。
【００１３】
スクリーン本体２４によって補足されて付着した夾雑物は、本流２０を流下する下水によって掃流され、本流２０に浮遊・沈殿して遮集水路２２から処理場へ流下し補足・処理される。
【００１４】
前述のように、フロート式スクリーンは、夾雑物補足用のスクリーン本体２４と、このスクリーン本体２４の自由端部に取付けたフロート２５と、基端部に取付けた筒体２６および回転自在に筒体２６に挿通された越流堰２３側の支軸２７によって構成されているので、構造がシンプルであるためイニシャルコストを低く抑えることができるばかりか、本流２０の水位変動に追従するフロート２５の昇降によりスクリーン本体２４の自由端部を上下動させて、越流水中の夾雑物をスクリーン本体２４で補足し夾雑物が放流水路２１へ越流するのを遮断できるので、電動機などの動力が不要になってランニングコストを削減することができる。
【００１５】
【発明の効果】
以上説明したように、本発明に係るフロート式スクリーンは構成されているので、以下のような格別の効果を奏する。
【００１６】
すなわち、夾雑物補足用のスクリーン本体の基端部が一方の水路から他方の水路への越流部に回動自在に取付けられているとともに、前記一方の水路側に延在するスクリーン本体の自由端部側にフロートが取付けられたシンプルな構造であるため、めイニシャルコストを低く抑えることができる。しかも、一方の水路の水位変動に追従するフロートの昇降によりスクリーン本体の自由端部を上下動させて、一方の水路から他方の水路への越流水中の夾雑物をスクリーン本体で補足して、夾雑物が他方の水路へ越流するのを遮断できるので、電動機などの動力が不要になってランニングコストを削減することができる。
【図面の簡単な説明】
【図１】本発明の一実施の形態を示す平面図である。、図２は図１のＡ−Ａ線に沿う通常の低水位状態を示す拡大断面図、図３は図２のＢ−Ｂ矢視図である。
図１は本発明の一実施の形態を一部破断して示す正面図である。
【図２】図１のＡ−Ａ線に沿う通常の低水位状態を示す拡大断面図である。
【図３】図２のＢ−Ｂ矢視図である。
【図４】図１のＡ−Ａ線に沿う越流状態を示す拡大断面図である。
【図５】第１従来例の全体斜視図である。
【図６】第１従来例の断面図である。
【図７】第２従来例の断面図である。
【符号の説明】
２０  本流（一方の水路）
２１  放流水路（他方の水路）
２３  越流堰（越流部）
２４  スクリーン本体
２５  フロート
【図１】
2004218211.tif 000003
【図２】
2004218211.tif 000004
【図３】
2004218211.tif 000005
【図４】
2004218211.tif 000006
【図５】
2004218211.tif 000007
【図６】
2004218211.tif 000008
【図７】
2004218211.tif 000009